【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
基地局装置と通信する移動局装置であって、
物理上りリンク共用チャネルのスケジューリングに用いられる所定のフォーマットの下りリンク制御情報をデコードした際に、
前記物理上りリンク共用チャネルの復調参照信号に予め決められた直交符号を乗算する第１のモードを設定しているか、または前記下りリンク制御情報の送信にｔｅｍｐｏｒａｒｙ  Ｃ−ＲＮＴＩが用いられる場合には、前記下りリンク制御情報によってスケジューリングされる物理上りリンク共用チャネルの復調参照信号に予め決められた直交符号を乗算し、
物理上りリンク共用チャネルのスケジューリングに用いられる所定のフォーマットの下りリンク制御情報をデコードした際に、
前記物理上りリンク共用チャネルの復調参照信号に、前記下りリンク制御情報内のサイクリックシフト情報に基づき決定される直交符号を乗算する第２のモードを設定しており、かつ前記下りリンク制御情報の送信のためにｔｅｍｐｏｒａｒｙ  Ｃ−ＲＮＴＩ以外のＲＮＴＩが用いられる場合には、前記下りリンク制御情報によってスケジューリングされる物理上りリンク共用チャネルの復調参照信号に、前記下りリンク制御情報内のサイクリックシフト情報に基づき決定される直交符号を乗算することを特徴とする移動局装置。
【請求項２】
前記ｔｅｍｐｏｒａｒｙ  Ｃ−ＲＮＴＩ以外のＲＮＴＩは、Ｃ−ＲＮＴＩまたはＳＰＳ  Ｃ−ＲＮＴＩであることを特徴とする請求項1に記載の移動局装置。
【請求項３】
前記所定のフォーマットの下りリンク制御情報は、単一のアンテナポートで送信する物理上りリンク共用チャネルをスケジューリングするための情報であることを特徴とする請求項１または請求項２に記載の移動局装置。
【請求項４】
前記基地局装置から受信したＲＲＣシグナルに応じて前記第１のモードまたは前記第２のモードを設定することを特徴とする請求項１から請求項３のいずれかに記載の移動局装置。
【請求項５】
前記基地局装置から前記ＲＲＣシグナルを受信するまでは前記第１のモードを設定することを特徴とする請求項４に記載の移動局装置。
【請求項６】
前記ｔｅｍｐｏｒａｒｙ  Ｃ−ＲＮＴＩは、前記移動局装置が前記基地局装置に送信したランダムアクセスプリアンブル識別子を含むランダムアクセスレスポンスに含まれることを特徴とする請求項１から請求項３のいずれかに記載の移動局装置。
【請求項７】
前記ｔｅｍｐｏｒａｒｙ  Ｃ−ＲＮＴＩ以外のＲＮＴＩを含む下りリンク制御情報を共通探索領域および／または移動局装置固有探索領域からデコードし、前記ｔｅｍｐｏｒａｒｙ  Ｃ−ＲＮＴＩを含む下りリンク制御情報を共通探索領域からデコードすることを特徴とする請求項１から請求項３のいずれかに記載の移動局装置。
【請求項８】
前記共通探索領域は、予め決められた所定の制御チャネル要素から構成される領域であり、
前記移動局装置固有探索領域は、前記ｔｅｍｐｏｒａｒｙ  Ｃ−ＲＮＴＩ以外のＲＮＴＩであるＣ−ＲＮＴＩに基づいて決定される制御チャネル要素から構成される領域であることを特徴とする請求項７に記載の移動局装置。
【請求項９】
前記所定のフォーマット以外の、物理上りリンク共用チャネルのスケジューリングに用いられるフォーマットの下りリンク制御情報をデコードした際には、
前記所定のフォーマット以外のフォーマットの下りリンク制御情報によってスケジューリングされる物理上りリンク共用チャネルの復調参照信号に、前記所定のフォーマット以外のフォーマットの下りリンク制御情報内のサイクリックシフト情報に基づき決定される直交符号を乗算することを特徴とする請求項１から請求項３のいずれかに記載の移動局装置。
【請求項１０】
前記所定のフォーマット以外のフォーマットの下りリンク制御情報は、複数のアンテナポートで送信する物理上りリンク共用チャネルをスケジューリングするための情報であることを特徴とする請求項９に記載の移動局装置。
【請求項１１】
基地局装置と通信する移動局装置であって、
物理上りリンク共用チャネルのスケジューリングに用いられる所定のフォーマットの下りリンク制御情報の送信に用いられたＲＮＴＩに基づいて、前記下りリンク制御情報によってスケジューリングされる物理上りリンク共用チャネルの復調参照信号に予め決められた直交符号を乗算するか、または
前記下りリンク制御情報によってスケジューリングされる物理上りリンク共用チャネルの復調参照信号に、前記下りリンク制御情報内のサイクリックシフト情報に基づき決定される直交符号を乗算することを特徴とする移動局装置。
【請求項１２】
基地局装置と通信する移動局装置であって、
基地局装置から受信したＲＲＣシグナルに応じて、単一のアンテナポートで送信する物理上りリンク共用チャネルのスケジューリングに用いられるフォーマットの下りリンク制御情報をデコードした際に、前記下りリンク制御情報によってスケジューリングされる物理上りリンク共用チャネルの復調参照信号に予め決められた直交符号を乗算する第１のモード、または
単一のアンテナポートで送信する物理上りリンク共用チャネルのスケジューリングに用いられるフォーマットの下りリンク制御情報をデコードした際に、前記下りリンク制御情報によってスケジューリングされる物理上りリンク共用チャネルの復調参照信号に前記下りリンク制御情報内のサイクリックシフト情報に基づき決定される直交符号を乗算する第２のモードを設定することを特徴とする移動局装置。
【請求項１３】
移動局装置と通信する基地局装置であって、
物理上りリンク共用チャネルのスケジューリングに用いられる所定のフォーマットの下りリンク制御情報を前記移動局装置に送信した際に、
前記移動局装置が、前記所定のフォーマットの下りリンク制御情報によってスケジューリングされる物理上りリンク共用チャネルの復調参照信号に予め決められた直交符号を乗算する第１のモードを設定しているか、または前記下りリンク制御情報の送信にｔｅｍｐｏｒａｒｙ  Ｃ−ＲＮＴＩが用いられた場合には、前記移動局装置によって前記予め決められた直交符号が乗算された物理上りリンク共用チャネルの復調参照信号を前記移動局装置から受信し、
物理上りリンク共用チャネルのスケジューリングに用いられる所定のフォーマットの下りリンク制御情報を前記移動局装置に送信した際に、
前記移動局装置が、前記所定のフォーマットの下りリンク制御情報によってスケジューリングされる物理上りリンク共用チャネルの復調参照信号に、前記下りリンク制御情報内のサイクリックシフト情報に基づき決定される直交符号を乗算する第２のモードを設定しており、かつ前記下りリンク制御情報の送信のためにｔｅｍｐｏｒａｒｙ  Ｃ−ＲＮＴＩ以外のＲＮＴＩが用いられた場合には、前記移動局装置によって前記下りリンク制御情報内のサイクリックシフト情報に基づき決定される直交符号が乗算された前記物理上りリンク共用チャネルの復調参照信号を前記移動局装置から受信することを特徴とする基地局装置。
【請求項１４】
前記ｔｅｍｐｏｒａｒｙ  Ｃ−ＲＮＴＩ以外のＲＮＴＩは、Ｃ−ＲＮＴＩまたはＳＰＳ  Ｃ−ＲＮＴＩであることを特徴とする請求項１３に記載の基地局装置。
【請求項１５】
前記所定のフォーマットの下りリンク制御情報は、単一のアンテナポートで送信する物理上りリンク共用チャネルをスケジューリングするための情報であることを特徴とする請求項１３または請求項１４に記載の基地局装置。
【請求項１６】
前記第１のモードまたは前記第２のモードを示すＲＲＣシグナルを前記移動局装置に送信することを特徴とする請求項１３から請求項１５のいずれかに記載の基地局装置。
【請求項１７】
前記移動局装置に前記ＲＲＣシグナルを送信するまでは前記移動局装置が前記第１のモードを設定しているとみなすことを特徴とする請求項１６に記載の基地局装置。
【請求項１８】
前記ｔｅｍｐｏｒａｒｙ  Ｃ−ＲＮＴＩは、前記移動局装置が前記基地局装置に送信したランダムアクセスプリアンブル識別子を含むランダムアクセスレスポンスに含まれることを特徴とする請求項１３から請求項１５のいずれかに記載の基地局装置。
【請求項１９】
前記ｔｅｍｐｏｒａｒｙ  Ｃ−ＲＮＴＩ以外のＲＮＴＩを含む下りリンク制御情報を共通探索領域および／または移動局装置固有探索領域で送信し、前記ｔｅｍｐｏｒａｒｙ  Ｃ−ＲＮＴＩを含む下りリンク制御情報を共通探索領域で送信することを特徴とする請求項１３から請求項１５のいずれかに記載の基地局装置。
【請求項２０】
前記共通探索領域は、予め決められた所定の制御チャネル要素から構成される領域であり、前記移動局装置固有探索領域は、前記ｔｅｍｐｏｒａｒｙ  Ｃ−ＲＮＴＩ以外のＲＮＴＩであるＣ−ＲＮＴＩに基づいて決定される制御チャネル要素から構成される領域であることを特徴とする請求項１９に記載の基地局装置。
【請求項２１】
前記所定のフォーマット以外の、物理上りリンク共用チャネルのスケジューリングに用いられるフォーマットの下りリンク制御情報を前記移動局装置に送信した際には、
前記移動局装置によって前記所定のフォーマット以外のフォーマットの下りリンク制御情報内のサイクリックシフト情報に基づき決定される直交符号が乗算された、前記所定のフォーマット以外のフォーマットの下りリンク制御情報によってスケジューリングされる物理上りリンク共用チャネルの復調参照信号を受信することを特徴とする請求項１３から請求項１５のいずれかに記載の基地局装置。
【請求項２２】
前記所定のフォーマット以外のフォーマットの下りリンク制御情報は、複数のアンテナポートで送信する物理上りリンク共用チャネルをスケジューリングするための情報であることを特徴とする請求項２１に記載の基地局装置。
【請求項２３】
移動局装置と通信する基地局装置であって、
物理上りリンク共用チャネルのスケジューリングに用いられる下りリンク制御情報の送信に用いたＲＮＴＩに応じて、前記移動局装置によって予め決められた直交符号が乗算された、前記下りリンク制御情報によってスケジューリングされる物理上りリンク共用チャネルの復調参照信号を受信するか、または
前記移動局装置によって前記下りリンク制御情報内のサイクリックシフト情報に基づき決定される直交符号が乗算された、前記下りリンク制御情報によってスケジューリングされる物理上りリンク共用チャネルの復調参照信号を受信することを特徴とする基地局装置。
【請求項２４】
移動局装置と通信する基地局装置であって、
移動局装置に送信したＲＲＣシグナルが示すモードに応じて、単一のアンテナポートで送信する物理上りリンク共用チャネルのスケジューリングに用いられるフォーマットの下りリンク制御情報を前記移動局装置に送信した際に、前記移動局装置によって予め決められた直交符号が乗算された、前記下りリンク制御情報によってスケジューリングされる物理上りリンク共用チャネルの復調参照信号を受信するか、または
単一のアンテナポートで送信する物理上りリンク共用チャネルのスケジューリングに用いられるフォーマットの下りリンク制御情報を前記移動局装置に送信した際に、前記移動局装置によって前記下りリンク制御情報内のサイクリックシフト情報に基づき決定される直交符号が乗算された、前記下りリンク制御情報によってスケジューリングされる物理上りリンク共用チャネルの復調参照信号を受信することを特徴とする基地局装置。
【請求項２５】
移動局装置と基地局装置とが通信する無線通信システムであって、
前記移動局装置は、
物理上りリンク共用チャネルのスケジューリングに用いられる所定のフォーマットの下りリンク制御情報をデコードした際に、
前記所定のフォーマットの下りリンク制御情報によってスケジューリングされる物理上りリンク共用チャネルの復調参照信号に予め決められた直交符号を乗算する第１のモードを設定しているか、または前記下りリンク制御情報の送信にｔｅｍｐｏｒａｒｙ  Ｃ−ＲＮＴＩが用いられる場合には、前記物理上りリンク共用チャネルの前記復調参照信号に予め決められた直交符号を乗算し、
物理上りリンク共用チャネルのスケジューリングに用いられる所定のフォーマットの下りリンク制御情報をデコードした際に、
前記所定のフォーマットの下りリンク制御情報によってスケジューリングされる物理上りリンク共用チャネルの前記復調参照信号に、前記下りリンク制御情報内のサイクリックシフト情報に基づき決定される直交符号を乗算する第２のモードを設定しており、かつ前記下りリンク制御情報の送信のためにｔｅｍｐｏｒａｒｙ  Ｃ−ＲＮＴＩ以外のＲＮＴＩが用いられる場合には、前記物理上りリンク共用チャネルの前記復調参照信号に、前記下りリンク制御情報内のサイクリックシフト情報に基づき決定される直交符号を乗算し、
前記物理上りリンク共用チャネルの前記復調参照信号を前記基地局装置へ送信し、
前記基地局装置は、
物理上りリンク共用チャネルのスケジューリングに用いられる所定のフォーマットの下りリンク制御情報を前記移動局装置に送信した際に、
前記移動局装置が、前記所定のフォーマットの下りリンク制御情報によってスケジューリングされる物理上りリンク共用チャネルの復調参照信号に予め決められた直交符号を乗算する第１のモードを設定しているか、または前記下りリンク制御情報の送信にｔｅｍｐｏｒａｒｙ  Ｃ−ＲＮＴＩが用いられた場合には、前記移動局装置によって前記予め決められた直交符号が乗算された物理上りリンク共用チャネルの復調参照信号を前記移動局装置から受信し、
物理上りリンク共用チャネルのスケジューリングに用いられる所定のフォーマットの下りリンク制御情報を前記移動局装置に送信した際に、
前記移動局装置が、前記所定のフォーマットの下りリンク制御情報によってスケジューリングされる物理上りリンク共用チャネルの復調参照信号に、前記下りリンク制御情報内のサイクリックシフト情報に基づき決定される直交符号を乗算する第２のモードを設定しており、かつ前記下りリンク制御情報の送信のためにｔｅｍｐｏｒａｒｙ  Ｃ−ＲＮＴＩ以外のＲＮＴＩが用いられた場合には、前記移動局装置によって前記下りリンク制御情報内のサイクリックシフト情報に基づき決定される直交符号が乗算された前記物理上りリンク共用チャネルの復調参照信号を前記移動局装置から受信することを特徴とする無線通信システム。
【請求項２６】
基地局装置と通信する移動局装置に用いられる無線通信方法であって、
物理上りリンク共用チャネルのスケジューリングに用いられる所定のフォーマットの下りリンク制御情報をデコードした際に、
前記物理上りリンク共用チャネルの復調参照信号に予め決められた直交符号を乗算する第１のモードを設定しているか、または前記下りリンク制御情報の送信にｔｅｍｐｏｒａｒｙ  Ｃ−ＲＮＴＩが用いられる場合には、前記下りリンク制御情報によってスケジューリングされる物理上りリンク共用チャネルの復調参照信号に予め決められた直交符号を乗算し、
物理上りリンク共用チャネルのスケジューリングに用いられる所定のフォーマットの下りリンク制御情報をデコードした際に、
前記物理上りリンク共用チャネルの復調参照信号に、前記下りリンク制御情報内のサイクリックシフト情報に基づき決定される直交符号を乗算する第２のモードを設定しており、かつ前記下りリンク制御情報の送信のためにｔｅｍｐｏｒａｒｙ  Ｃ−ＲＮＴＩ以外のＲＮＴＩが用いられる場合には、前記下りリンク制御情報によってスケジューリングされる物理上りリンク共用チャネルの復調参照信号に、前記下りリンク制御情報内のサイクリックシフト情報に基づき決定される直交符号を乗算することを特徴とする無線通信方法。
【請求項２７】
移動局装置と通信する基地局装置に用いられる無線通信方法であって、
物理上りリンク共用チャネルのスケジューリングに用いられる所定のフォーマットの下りリンク制御情報を前記移動局装置に送信した際に、
前記移動局装置が、前記所定のフォーマットの下りリンク制御情報によってスケジューリングされる物理上りリンク共用チャネルの復調参照信号に予め決められた直交符号を乗算する第１のモードを設定しているか、または前記下りリンク制御情報の送信にｔｅｍｐｏｒａｒｙ  Ｃ−ＲＮＴＩが用いられた場合には、前記移動局装置によって前記予め決められた直交符号が乗算された物理上りリンク共用チャネルの復調参照信号を受信し、
物理上りリンク共用チャネルのスケジューリングに用いられる所定のフォーマットの下りリンク制御情報を前記移動局装置に送信した際に、
前記移動局装置が、前記所定のフォーマットの下りリンク制御情報によってスケジューリングされる物理上りリンク共用チャネルの復調参照信号に、前記下りリンク制御情報内のサイクリックシフト情報に基づき決定される直交符号を乗算する第２のモードを設定しており、かつ前記下りリンク制御情報の送信のためにｔｅｍｐｏｒａｒｙ  Ｃ−ＲＮＴＩ以外のＲＮＴＩが用いられた場合には、前記移動局装置によって前記下りリンク制御情報内のサイクリックシフト情報に基づき決定される直交符号が乗算された前記物理上りリンク共用チャネルの復調参照信号を受信する前記基地局装置の処理を制御することを特徴とする無線通信方法。
【請求項２８】
基地局装置と通信する移動局装置に用いられる集積回路であって、
物理上りリンク共用チャネルのスケジューリングに用いられる所定のフォーマットの下りリンク制御情報をデコードした際に、
前記物理上りリンク共用チャネルの復調参照信号に予め決められた直交符号を乗算する第１のモードを設定しているか、または前記下りリンク制御情報の送信にｔｅｍｐｏｒａｒｙ  Ｃ−ＲＮＴＩが用いられる場合には、前記下りリンク制御情報によってスケジューリングされる物理上りリンク共用チャネルの復調参照信号に予め決められた直交符号を乗算し、
物理上りリンク共用チャネルのスケジューリングに用いられる所定のフォーマットの下りリンク制御情報をデコードした際に、
前記物理上りリンク共用チャネルの復調参照信号に、前記下りリンク制御情報内のサイクリックシフト情報に基づき決定される直交符号を乗算する第２のモードを設定しており、かつ前記下りリンク制御情報の送信のためにｔｅｍｐｏｒａｒｙ  Ｃ−ＲＮＴＩ以外のＲＮＴＩが用いられる場合には、前記下りリンク制御情報によってスケジューリングされる物理上りリンク共用チャネルの復調参照信号に、前記下りリンク制御情報内のサイクリックシフト情報に基づき決定される直交符号を乗算することを特徴とする集積回路。
【請求項２９】
移動局装置と通信する基地局装置に用いられる集積回路であって、
物理上りリンク共用チャネルのスケジューリングに用いられる所定のフォーマットの下りリンク制御情報を前記移動局装置に送信した際に、
前記移動局装置が、前記所定のフォーマットの下りリンク制御情報によってスケジューリングされる物理上りリンク共用チャネルの復調参照信号に予め決められた直交符号を乗算する第１のモードを設定しているか、または前記下りリンク制御情報の送信にｔｅｍｐｏｒａｒｙ  Ｃ−ＲＮＴＩが用いられた場合には、前記移動局装置によって前記予め決められた直交符号が乗算された物理上りリンク共用チャネルの復調参照信号を受信し、
物理上りリンク共用チャネルのスケジューリングに用いられる所定のフォーマットの下りリンク制御情報を前記移動局装置に送信した際に、
前記移動局装置が、前記所定のフォーマットの下りリンク制御情報によってスケジューリングされる物理上りリンク共用チャネルの復調参照信号に、前記下りリンク制御情報内のサイクリックシフト情報に基づき決定される直交符号を乗算する第２のモードを設定しており、かつ前記下りリンク制御情報の送信のためにｔｅｍｐｏｒａｒｙ  Ｃ−ＲＮＴＩ以外のＲＮＴＩが用いられた場合には、前記移動局装置によって前記下りリンク制御情報内のサイクリックシフト情報に基づき決定される直交符号が乗算された前記物理上りリンク共用チャネルの復調参照信号を受信する前記基地局装置の処理を制御することを特徴とする集積回路。